(57)【要約】      （修正有）【課題】断熱性に優れた建築物を提供する。【解決手段】壁部及び屋根部を含む建築物において、壁部は内壁材１１及び外壁材１０を含み、内壁材及び外壁材の間に壁部通気層１２が形成され、屋根部は上野地板２０及び下野地板２１を含み、上野地板及び下野地板の間に屋根部通気層２２が形成され、屋根部の頂部には棟換気口２３が形成され、壁部通気層及び屋根部通気層は連通するとともに、壁部通気層の基礎側の端部１２１は外部と連通し、屋根部通気層の頂部側の端部２２１は棟換気口に連通することで、壁部通気層の基礎側の端部から流入した空気を棟換気口から排出できる一連の通気層が形成されることを特徴とする。【選択図】図１
0003190513.tif 000002
【実用新案登録請求の範囲】
【請求項１】
壁部及び屋根部を含む建築物において、
前記壁部は内壁材及び外壁材を含み、前記内壁材及び前記外壁材の間に壁部通気層が形成され、
前記屋根部は上野地板及び下野地板を含み、前記上野地板及び前記下野地板の間に屋根部通気層が形成され、
前記屋根部の頂部には棟換気口が形成され、
前記壁部通気層及び前記屋根部通気層は連通するとともに、前記壁部通気層の基礎側の端部は外部と連通し、前記屋根部通気層の頂部側の端部は前記棟換気口に連通することで、前記壁部通気層の基礎側の端部から流入した空気を前記棟換気口から排出できる一連の通気層が形成されることを特徴とする建築物。
【請求項２】
前記屋根部通気層の幅が、前記壁部通気層の幅の１．５〜７倍であることを特徴とする請求項１に記載の建築物。
【請求項３】
壁部及び屋根部を少なくとも２組以上含む建築物において、
前記壁部は内壁材及び外壁材を含み、前記内壁材及び前記外壁材の間に壁部通気層が形成され、
前記屋根部は上野地板及び下野地板を含み、前記上野地板及び前記下野地板の間に屋根部通気層が形成され、
最も高い位置の屋根部の頂部には棟換気口が形成され、
前記壁部通気層及び前記屋根部通気層は連通するとともに、前記壁部通気層の最も基礎側の端部は外部と連通し、前記最も高い位置の屋根部の屋根部通気層の端部は前記棟換気口に連通することで、前記壁部通気層の最も基礎側の端部から流入した空気を前記棟換気口から排出できる一連の通気層が形成されることを特徴とする建築物。
【請求項４】
前記壁部通気層及び前記屋根部通気層が連通する部分に換気口が形成され、前記屋根部通気層の幅が、前記壁部通気層の幅の１．５〜７倍であることを特徴とする請求項３に記載の建築物。
【請求項５】
前記最も高い位置の屋根部に含まれる屋根部通気層以外の一連の通気層の幅が同じであり、前記最も高い位置の屋根部に含まれる屋根部通気層の幅が、一連の通気層の幅の１．５〜７倍であることを特徴とする請求項３に記載の建築物。
【請求項６】
前記壁部通気層及び前記屋根部通気層の幅が、最も基礎側の前記壁部通気層から前記最も高い位置の屋根部の屋根部通気層に向かって、順に広くなっていることを特徴とする請求項３に記載の建築物。
【請求項７】
前記壁部通気層の基礎側の端部に、土台水切りが設けられていることを特徴とする請求項１〜６の何れか一項に記載の建築物。
【請求項８】
前記土台水切りが、断面が略コ字状の連続した部材を含み、前記部材の底面には動物の侵入を防ぐための孔が形成され、前記部材の上面の端部には外壁材をガイドするための上方に伸びる連続したガイド面が形成されていることを特徴とする請求項７に記載の建築物。
【考案の詳細な説明】
【技術分野】
【０００１】
本考案は、建築物に関し、特に、建築物の周囲に通気層を形成することで断熱効果に優れた省エネ建築物に関する。
【背景技術】
【０００２】
従来の一般的な建築物では、建築物の断熱効果を高めるため、建築物の構造用柱の間にグラスウール等の繊維系断熱材を充填したり、構造用柱の外側又は間に発砲断熱材の面張りが行われている。
【０００３】
しかしながら、近年は省エネが重視され、特に夏場の冷房費を抑えることができる効率的な断熱機能を有する建築物の重要性がますます高まってきている。そのため、従来の断熱材のみではなく、積極的に建築物の断熱効果を高める施工が求められている。
【考案の概要】
【考案が解決しようとする課題】
【０００４】
本考案は、上記従来の問題を解決するためになされた考案であり、建築物の壁部及び屋根部に一連の通気層を形成し、通気層の基礎側の端部から流入した空気を屋根部の頂部から外部に排出することで、建築物全体を効率よく断熱できることを新たに見出し、本考案を完成した。
【０００５】
すなわち、本考案の目的は、断熱性に優れた建築物を提供することである。
【課題を解決するための手段】
【０００６】
本考案は、以下に示す建築物に関する。
【０００７】
（１）壁部及び屋根部を含む建築物において、
前記壁部は内壁材及び外壁材を含み、前記内壁材及び前記外壁材の間に壁部通気層が形成され、
前記屋根部は上野地板及び下野地板を含み、前記上野地板及び前記下野地板の間に屋根部通気層が形成され、
前記屋根部の頂部には棟換気口が形成され、
前記壁部通気層及び前記屋根部通気層は連通するとともに、前記壁部通気層の基礎側の端部は外部と連通し、前記屋根部通気層の頂部側の端部は前記棟換気口に連通することで、前記壁部通気層の基礎側の端部から流入した空気を前記棟換気口から排出できる一連の通気層が形成されることを特徴とする建築物。
（２）前記屋根部通気層の幅が、前記壁部通気層の幅の１．５〜７倍であることを特徴とする上記（１）に記載の建築物。
（３）壁部及び屋根部を少なくとも２組以上含む建築物において、
前記壁部は内壁材及び外壁材を含み、前記内壁材及び前記外壁材の間に壁部通気層が形成され、
前記屋根部は上野地板及び下野地板を含み、前記上野地板及び前記下野地板の間に屋根部通気層が形成され、
最も高い位置の屋根部の頂部には棟換気口が形成され、
前記壁部通気層及び前記屋根部通気層は連通するとともに、前記壁部通気層の最も基礎側の端部は外部と連通し、前記最も高い位置の屋根部の屋根部通気層の端部は前記棟換気口に連通することで、前記壁部通気層の最も基礎側の端部から流入した空気を前記棟換気口から排出できる一連の通気層が形成されることを特徴とする建築物。
（４）前記壁部通気層及び前記屋根部通気層が連通する部分に換気口が形成され、前記屋根部通気層の幅が、前記壁部通気層の幅の１．５〜７倍であることを特徴とする上記（３）に記載の建築物。
（５）前記最も高い位置の屋根部に含まれる屋根部通気層以外の一連の通気層の幅が同じであり、前記最も高い位置の屋根部に含まれる屋根部通気層の幅が、一連の通気層の幅の１．５〜７倍であることを特徴とする上記（３）に記載の建築物。
（６）前記壁部通気層及び前記屋根部通気層の幅が、最も基礎側の前記壁部通気層から前記最も高い位置の屋根部の屋根部通気層に向かって、順に広くなっていることを特徴とする上記（３）に記載の建築物。
（７）前記壁部通気層の基礎側の端部に、土台水切りが設けられていることを特徴とする上記（１）〜（６）の何れか一に記載の建築物。
（８）前記土台水切りが、断面が略コ字状の連続した部材を含み、前記部材の底面には動物の侵入を防ぐための孔が形成され、前記部材の上面の端部には外壁材をガイドするための上方に伸びる連続したガイド面が形成されていることを特徴とする上記（７）に記載の建築物。
【考案の効果】
【０００８】
本考案の建築物は、壁部通気層の基礎側の端部と屋根部の頂部に形成した棟換気口が、一連の通気層として形成されている。したがって、日光により暖められて軽くなった空気は棟換気口から外部に排出されるが、その際、壁部通気層の基礎側の端部から空気が吸い込まれるので、動力を用いなくても建築物の周りに空気の流れができ、建築物を効率的に断熱することができる。
また、屋根部通気層の幅を壁部通気層の幅より広くすると、特に夏場の真上方向からの日光で暖められやすい屋根部の空気量を多くできるので、その結果、流れる空気の量を多くでき断熱効果を向上することができる。更に、屋根部の上野地板と下野地板の間隔が広くなるので、日光で加熱した上野地板の熱が下野地板に伝わりにくくなる。
更に、壁部通気層の基礎側の端部に、底面に孔が形成された土台水切りを設けると、鳥、蛇や昆虫等の動物が通気層内に入り込むことを防止できるとともに、水が入り込むことも防止できるので、建築物のメンテナンスが容易になる。
【図面の簡単な説明】
【０００９】
【図１】図１は、本考案の壁部通気層及び屋根部通気層を含む建築物１であって、１階建ての実施形態を示している。
【図２】図２は、図１の壁部のＡ−Ａ断面図である。
【図３】図３は、本考案の建築物１の他の実施形態であって、２階建ての例を示している。
【図４】図４は、土台水切り４０の斜視図である。
【図５】図５は、土台水切り４０の使用形態を示す図である。
【考案を実施するための形態】
【００１０】
以下に、本考案の建築物の実施形態について、図面を用いて詳しく説明する。
【００１１】
図１は、本考案の壁部通気層及び屋根部通気層を含む建築物１であって、１階建ての実施形態を示している。図１に示す建築物１は、壁部及び屋根部を少なくとも含んでいる。壁部は、外壁材１０を及び内壁材１１を含み、外壁材１０及び内壁材１１の間には、壁部通気層１２が形成されている。外壁材１０は、サイディング、タイル、羽目板等、公知の外壁材を用いればよい。
【００１２】
本考案における内壁材１１とは、外壁材１０とで壁部通気層１２を形成できる材料を意味し、例えば、土壁、木板、プラスター、グラスウール・ロックウール等の繊維系断熱材、ウレタンフォーム等の発砲系断熱材等、公知の材料が挙げられる。壁部は、外壁材１０及び内壁材１１を少なくとも含んでいればよく、その他に、建築物１の内装用のクロス、窓、防水シート等の公知の壁部用の建築材料を含んでいてもよい。
【００１３】
屋根部は、上野地板２０及び下野地板２１を含み、上野地板２０及び下野地板２１の間には、屋根部通気層２２が形成されている。上野地板２０及び下野地板２１は、木板、合板等の公知の野地板を用いればよい。屋根部は、上野地板２０及び下野地板２１を少なくとも含んでいればよく、その他に、瓦やストレート、防水シート、断熱材等、公知の屋根部用の建築材料を含んでいてもよい。また、屋根部の頂部には、棟換気口２３が形成されている。
【００１４】
図２は、図１の壁部のＡ−Ａ断面図である。内壁材１１の外側に、外壁材１０を固定するための下地材１３を一定間隔で配置することで、外壁材１０、内壁材１１及び下地材１３で壁部通気層１２が形成されている。屋根部通気層２２も同様に、上野地板２０及び下野地板２１の間に下地材を一定間隔で配置することで、形成することができる。
【００１５】
壁部通気層１２の基礎側の端部１２１は外部と連通し、屋根部側の端部１２２は屋根部通気層２２の壁部側の端部２２２と連通している。そして、屋根部通気層２２の頂部側の端部２２１は棟換気口２３に連通することで、壁部通気層１２の基礎側の端部１２１から流入した空気を棟換気口２３から排出できる一連の通気層を建築物１の周りに形成することができる。太陽光で暖められた一連の通気層内の空気は軽くなって上昇し、棟換気口２３から外部に排出されるが、その際、壁部通気層１２の基礎側の端部１２１から空気が吸い込まれるので、建築物１の周りで空気の流れができ、効率的に建築物１を断熱することができる。
【００１６】
壁部通気層１２の幅は、通気層が形成されれば特に制限は無いが、断熱効果が得られ、建築物の容量の増加を抑えるためには、約９ｍｍ〜４５ｍｍが望ましい。
【００１７】
屋根部通気層２２の幅も、通気層が形成されれば特に制限は無いが、特に夏場の真上方向からの日光で屋根部は暖められやすい。そのため、屋根部通気層２２の幅は壁部通気層１２より大きくし、屋根部通気層２２を流れる空気量を多くするとともに、上野地板と下野地板の間隔を広げることで上野地板の熱が下野地板に伝わり難くし、より断熱効果を高めることが望ましい。屋根部通気層２２の幅は、壁部通気層１２の幅の１．５〜７倍程度にすればよい。なお、図示している例では、屋根部通気層２２の壁部側の端部２２２は、壁部通気層１２の屋根部側の端部１２２とのみ連通しているが、必要に応じて、外壁材１０の上野地板２０との接続部付近に孔を形成し、壁部通気層１２からの空気に加え、外気を直接屋根部通気層２２に流入できるようにしてもよい。
【００１８】
図３は、本考案の建築物１の他の実施形態であって、２階建ての例を示している。２階建ての場合は、図３の左側に示すように、図１に示す壁部と屋根部の間に、図１と同様の屋根部及び壁部を追加すればよい。なお、１階と２階の部分に屋根部を設ける場合は、１階の屋根部の屋根部通気層２２と２階の壁部の壁部通気層１２が連通する箇所に換気口２４を形成し、該換気口２４から外部に空気を排出できるようにしてもよい。壁部通気層１２及び屋根部通気層２２の幅は、（１）各階の壁部通気層１２の幅を同じにし、各階の屋根部通気層２２の幅も同じにし、屋根部通気層の幅を、壁部通気層の幅の１．５〜７倍としてもよいし、（２）１階の壁部通気層１２→１階の屋根部通気層２２→２階の壁部通気層１２→２階の屋根部通気層２２の順に広くしてもよい。３階以上にする場合も、（１）又は（２）と同様にすればよい。通気層の幅は、下地材１３の幅を変えることで調整することができる。
【００１９】
なお、図３の右側に示すように、１階の屋根部の長さが短い場合は、（３）１階及び２階の壁部通気層１２及び１階の屋根部通気層２２の幅を同じにし、２階の屋根部の屋根部通気層２２の幅を、他の通気層の幅の１．５〜７倍としてもよい。また、１階と２階の間に屋根部を設けない場合は、（４）１階と２階の壁部通気層１２の幅を同じにし、２階の屋根部の屋根部通気層２２の幅を、壁部通気層１２の幅の１．５〜７倍としてもよい。３階以上にする場合も、（３）又は（４）と同様にすればよい。（１）〜（４）の何れの形態にするのかは、屋根部の長さ、建築物１を設置する地域の太陽光の強さ、建築物１の設置方向等を考慮し、適宜調整すればよい。また、２階建て以上の場合も、必要に応じて、外壁材１０の上野地板２０との接続部付近に孔を形成し、壁部通気層１２からの空気に加え、外気を直接屋根部通気層２２に流入できるようにしてもよい。
【００２０】
図４は、土台水切り４０の斜視図である。土台水切り４０は、断面が略コ字状の連続した部材４１を含み、該部材４１の底面４２には鳥、蛇、昆虫等の動物の侵入を防ぐための孔４３が形成されている。孔４３の個数及び大きさは、適宜調整すればよい。また、部材４１の上面４４の端部には、外壁材１１をガイドするための上方に伸びる連続したガイド面４５が形成されている。
【００２１】
図５は、土台水切り４０の使用形態を示す図である。土台水切り４０は、底面４２の端部が基礎３０の上端部分に当接する位置に設け、ガイド面４５を下地材１３に釘４６等で打ち付けて固定する。そして、図示していない外壁材１０を上面４４とガイド面４５に当接するよう配置し、外壁材１０を下地材１３に打ち付けることで、外壁材１０を固定することができる。空気は、土台水切り４０の孔４３から入り、下地材１３と下地材１３の間の壁部通気層１２に流れ込むことができる。また、土台水切り４０の孔４３は下方のみに向いていることから、雨水等が壁部通気層１２に入り込むことを防止することができる。
【産業上の利用可能性】
【００２２】
本考案の建築物は、動力を用いなくても建築物の周りに空気の流れを作ることができる。したがって、特に夏場の断熱効果に優れ、省エネ住宅に有用である。
【図１】
0003190513.tif 000003
【図２】
0003190513.tif 000004
【図３】
0003190513.tif 000005
【図４】
0003190513.tif 000006
【図５】
0003190513.tif 000007